(57)【特許請求の範囲】
【請求項１】
燃料ガスを燃焼するバーナと、
水量制御弁が介挿される給水路から供給された冷水を上記バーナの燃焼熱により加熱し出湯路に供給する熱交換器と、
上記熱交換器に流れる流量を検出し、故障時にはその検出流量が実際の流量より減少するように構成されたトータル流量センサと、
上記出湯路を分岐して設けられ、浴槽に温水を落とし込む風呂給湯路と、
上記出湯路を分岐して設けられ、台所、洗面所等に温水を供給する一般給湯路と、
上記風呂給湯路に設けられ、流路を開閉する開閉弁と、
上記開閉弁および水量制御弁の駆動を司る弁駆動手段と、
上記風呂給湯路に流れる流量を検出し、故障時にはその検出流量が実際の流量より減少するように構成された落込み流量センサと
を備えた給湯装置において、
上記弁駆動手段から上記開閉弁への開弁信号出力時と、開弁信号出力停止時とのそれぞれにおいて、上記各流量センサの検出値の組合せに基づき、上記開閉弁及び上記各流量センサの故障検知を行う故障検知手段と、
上記開閉弁への開弁信号出力停止時において、その開閉弁の故障が検知されたときには、上記水量制御弁を閉弁するとともに、上記バーナを燃焼停止状態にする制御手段を
備えることを特徴とする給湯装置。
【請求項２】
上記故障検知手段は、上記開閉弁への開閉信号出力中に上記落込み流量センサが通水を検出していない場合、上記開閉弁への開弁信号を出力する直前に上記トータル流量センサが通水を検出していたかどうかをチェックし、通水を検出していなかった場合に、上記落込み流量センサの故障であると判断することを特徴とする請求項１に記載の給湯装置。
【請求項３】
上記故障検知手段は、上記開閉弁への開弁信号出力中に上記落込み流量センサが通水を検出していない場合、上記開閉弁への開弁信号の出力を停止して上記トータル流量センサが通水を検出しなくなるまで待機し、該トータル流量センサが通水を検出しなくなった後上記開閉弁に開弁信号を出力し、それでも上記落込み流量センサが通水を検出しない場合に該落込み流量センサの故障であると判断する請求項１又は２に記載の給湯装置。
【発明の詳細な説明】
【０００１】
【発明の属する技術分野】
本発明は給湯装置に関し、詳しくは浴槽への給湯機能を備えた給湯装置に関する。
【０００２】
【従来の技術】
従来から台所、シャワー、洗面所等の給湯栓へ湯を供給するだけでなく、リモコンのスイッチを入れるだけで浴槽に適温の湯を設定された量だけ供給するといった自動湯張機能を備えた給湯器が知られている。ここで、自動湯張機能について説明すると、リモコンの湯張りスイッチを押すと風呂給湯路に設けられた落込み用電磁弁に開弁信号が出力されて弁が開き、給水路に設けられたトータル流量センサが通水を検出することでバーナに点火して浴槽への設定湯温での出湯動作を開始し、風呂給湯路に設けられた落込み流量センサがその流量を検出し続け、コントローラがその流量を積算して浴槽への落とし込み湯量を算出し、その算出した湯量が設定湯量に達すると落込み用電磁弁を閉じて出湯を停止するといったものである。
【０００３】
【発明が解決しようとする課題】
しかしながら、このような自動湯張機能において、風呂給湯路に設けられた落込み流量センサが故障した場合、浴槽に設定湯量の供給がされたにもかかわらずコントローラの算出湯量が設定湯量に達しないため、浴槽内の湯が溢れてしまうという問題があった。
【０００４】
このような問題を解決するために、特公平６−４６１１０においては、落込み流量センサの検知量が異常低下した場合に落込み用電磁弁を閉じ、トータル流量センサの検知流量が０になるか否かによって落込み流量センサの異常が発生しているかどうかの判断をするといった構成をとっている。
【０００５】
しかし、このような構成では、落込み用電磁弁やトータル流量センサの故障を検出できないため、落込み用電磁弁がＯＮ故障することにより浴槽への給湯動作が止まらなくなったり、またトータル流量センサが故障することにより燃焼動作が開始されず、浴槽に冷水が供給されるといった問題は解決できなかった。
【０００６】
本発明の給湯装置は上記課題を解決し、落込み用電磁弁、トータル流量センサ、落込み流量センサの故障を検知することを目的とする。
【０００７】
【課題を解決するための手段】
上記課題を解決する本発明の請求項１に記載の給湯装置は、
燃料ガスを燃焼するバーナと、
水量制御弁が介挿される給水路から供給された冷水を上記バーナの燃焼熱により加熱し出湯路に供給する熱交換器と、
上記熱交換器に流れる流量を検出し、故障時にはその検出流量が実際の流量より減少するように構成されたトータル流量センサと、
上記出湯路を分岐して設けられ、浴槽に温水を落とし込む風呂給湯路と、
上記出湯路を分岐して設けられ、台所、洗面所等に温水を供給する一般給湯路と、
上記風呂給湯路に設けられ、流路を開閉する開閉弁と、
上記開閉弁および水量制御弁の駆動を司る弁駆動手段と、
上記風呂給湯路に流れる流量を検出し、故障時にはその検出流量が実際の流量より減少するように構成された落込み流量センサと
を備えた給湯装置において、
上記弁駆動手段から上記開閉弁への開弁信号出力時と、開弁信号出力停止時とのそれぞれにおいて、上記各流量センサの検出値の組合せに基づき、上記開閉弁及び上記各流量センサの故障検知を行う故障検知手段と、
上記開閉弁への開弁信号出力停止時において、その開閉弁の故障が検知されたときには、上記水量制御弁を閉弁するとともに、上記バーナを燃焼停止状態にする制御手段を
備えることを要旨とする。
【０００８】
上記課題を解決する本発明の請求項２記載の給湯装置は、請求項１記載の給湯装置において、上記故障検知手段は、上記開閉弁への開弁信号出力中に上記落込み流量センサが通水を検出していない場合、上記開閉弁への開弁信号を出力する直前に上記トータル流量センサが通水を検出していたかどうかをチェックし、通水を検出していなかった場合に、上記落込み流量センサの故障であると判断することを要旨とする。
【０００９】
上記課題を解決する本発明の請求項３記載の給湯装置は、請求項１又は２記載の給湯装置において、上記故障検知手段は、上記開閉弁への開弁信号出力中に上記落込み流量センサが通水を検出していない場合、上記開閉弁への開弁信号の出力を停止して上記トータル流量センサが通水を検出しなくなるまで待機し、該トータル流量センサが通水を検出しなくなった後上記開閉弁に開弁信号を出力し、それでも上記落込み流量センサが通水を検出しない場合に該落込み流量センサの故障であると判断することを要旨とする。
【００１０】
上記構成を有する本発明の請求項１記載の給湯装置は、浴槽に温水を落とし込むため開閉弁に開弁信号を出力すると、故障検知手段がトータル流量センサの検出値と落込み流量センサの検出値との組合わせから、開閉弁及び２つの流量センサに故障が発生しているかどうかをチェックし、故障が発生していた場合、２つの検出値の組合わせから故障箇所を判断する。例えば、開閉弁への開弁信号出力中にトータル流量センサが通水を検出せず、落込み流量センサが通水を検出している場合、何等かの故障が発生していると判断される。ここで、流量センサの故障時には検出流量が減少することから考慮して、落込み流量センサが通水を検出しているため風呂給湯路には通水されていることが明らかになる。そのため給水路にも通水されており、トータル流量センサが故障していると判断することができる。また落とし込みを終了するため、開閉弁への開弁信号の出力を停止した場合にも同様に、トータル流量センサの検出値と落込み流量センサの検出値との組合わせから故障が発生しているかどうかを検知し、故障が発生していた場合には検出値の組合わせから故障箇所を判断することができる。例えば、開閉弁への開弁信号出力停止中に２つの流量センサが共に通水を検出している場合、給水路、風呂給湯路共に通水されていることが明らかになる。そのため、開閉弁が故障していると判断することができる。このように、２つの流量センサの検出値の組合わせから故障箇所を判断することができる。さらに、上記開閉弁への開弁信号の出力停止時において、その開閉弁の故障が検知されたとき、すなわち、浴槽への給湯停止時において開閉弁が閉弁しない状態にあることが検知された場合には、水量制御弁が最小に絞られ、また、バーナが燃焼状態にある場合にはそのバーナの燃焼が停止されるので、被害を最小限に抑えることができる。
【００１１】
上記構成を有する本発明の請求項２記載の給湯装置は、開閉弁への開弁信号出力中、落込み流量センサが通水を検出しなかった場合に、落込み流量センサの故障か、一般給湯路からの同時使用が行なわれているためかの判断をするため、開弁信号出力前にトータル流量センサが通水を検出していたかどうかをチェックする。通水を検出していなかった場合には同時使用が行なわれていないと判断することで、落込み流量センサの故障であると判断することができる。
【００１２】
上記構成を有する本発明の請求項３記載の給湯装置は、開閉弁への開弁信号出力中、落込み流量センサが流れを検出しなかった場合に、落込み流量センサの故障か、一般給湯路からの同時使用が行なわれているためかの判断をするため、開閉弁への開弁信号の出力を停止してトータル流量センサが通水を検出しなくなるまで待機し、トータル流量センサが通水を検出しなくなり同時使用が無くなったことが分かった後、開閉弁に開弁信号を出力し、落込み流量センサの出力をチェックする。この時落込み流量センサが通水を検出していない場合には、落込み流量センサの故障であると判断することができる。
【００１３】
【発明の実施の形態】
以上説明した本発明の構成・作用を一層明らかにするために、以下本発明の給湯装置の好適な実施例について説明する。図１は一実施例としての給湯器付強制循環式風呂釜１の概略構成図である。給湯器付強制循環式風呂釜１（以下、単に給湯付風呂釜１と呼ぶ）は大別して、浴槽水を強制的に循環し加熱する強制循環加熱部１０と、通水された水をガス燃焼により加熱し供給する給湯部３０と、これらの動作を制御するコントローラ５０とからなる。
【００１４】
強制循環加熱部１０は、ガスを燃焼するバーナ１１と、浴槽水の循環流路となる循環路１２と、循環路１２の途中に設けられバーナ１１により加熱される熱交換器１３と、熱交換器１３の上流側循環路に設けられ通水されることによりＯＮする水流スイッチ１４と、水流スイッチ１４の上流側に設けられ浴槽２内の浴槽水を強制循環する循環ポンプ１５と、循環ポンプ１５の上流側で循環水温を検出するサーミスタ１６とを備える。
【００１５】
給湯部３０は、ガスを燃焼するバーナ３１と、冷水が供給される給水路３２と、給水路３２の途中に設けられバーナ３１により加熱される熱交換器３３と、熱交換器３３の下流側に接続される出湯路３４とを備える。給水路３２は入水温を検出するサーミスタ３５と、入水流量を制御する水量制御モータ弁３６（以下、単に水量制御弁３６と呼ぶ）と、入水流量を検出するトータル流量センサ３７とを備える。また、出湯路３４は出湯温を検出するサーミスタ３８を備える。出湯路３４は風呂給湯路３９と、一般給湯路４０とに分岐され、風呂給湯路３９は流量を検出する落込み流量センサ４１と、給湯部３０から浴槽２への流路を開閉する落込み用電磁弁４２と、バキューム弁４３と、逆流を防止する逆止弁４４とを備え、強制循環加熱部１０の循環路１２に接続される。一方、一般給湯路４０は洗面所、シャワー等の給湯口３に通じる外部給湯管４に接続される。尚図中５は給湯栓である。
【００１６】
また、給湯部３０のバーナ３１へのガス供給路には、ガス流路の開閉を行なうメイン電磁弁４６と、ガス量の調節を行なう比例制御弁４７とが設けられる。尚、図示しないが強制循環加熱部１０のバーナ１１へのガス供給路にも同様にメイン電磁弁が設けられ、更に上流側には、バーナ１１とバーナ３１との両方へのガスの供給、遮断を行なう元電磁弁が設けられる。
【００１７】
トータル流量センサ３７、落込み流量センサ４１は、通水される流量を検出し、通水流量が所定値以上になった場合に通水ありと判断する。トータル流量センサ３７が通水ありと検出すると給湯部３０が燃焼動作を開始し、また通水なしと検出すると給湯部３０の燃焼動作を停止する。また、これらの流量センサは、通水により回転する回転体と、その回転を検出するセンサとから構成されているため、故障により実際の流量より大きい流量を検出したり、通水されていないのにもかかわらず通水を検出するといったことがない。そのため流量センサにより、ある流量を検出している場合には、その流量センサが故障している場合を考慮しても、少なくともその検出流量以上は確実に流れていることが分かる。尚、このような流量センサの故障特性は、器具の安全性を考えたうえで一般に必要とされているものである。
【００１８】
給湯部３０は、サーミスタ３８により検出した出湯湯温と設定湯温との差に応じて、比例制御弁４７によりガス量を連続的に変化させて出湯温度を一定に保つ。また、最大ガス量においても設定温での出湯が得られないことを防止するため、給湯時における入水温と設定温と器具の最大能力とから能力オーバーを生じない最大流量を求め、この流量を越えないようトータル流量センサ３７で流量を監視し水量制御弁３６を調節するため、常に安定した出湯温度を得ることができる。尚、自動給湯時に一般給湯路４０からの同時使用があった場合、一般給湯路側の設定温度を優先する。
【００１９】
コントローラ５０は、出湯温度制御、自動給湯制御、自動保温制御等を司どるもので、図示しない周知の算術論理演算回路を構成するＣＰＵ、ＲＡＭ、ＲＯＭと、各種センサからの信号を入力する入力インタフェイスと、各種のアクチュエータに駆動信号を出力する出力インタフェイス等から構成される。尚、図１においては、本発明の特徴となる故障検知制御処理に係る構成のみの入出力関係を表している。
【００２０】
尚、給湯付風呂釜１は、図示しないが点火装置及び燃焼用空気を供給するファン等を備える。
【００２１】
次に、コントローラ５０の行なう故障検知制御処理について図２のフローチャートを用いて説明する。尚、本フローチャートでは、トータル流量センサ３７の出力をＨＷＦＳ、落込み流量センサ４１の出力をＢＷＦＳ、コントローラ５０から落込み用電磁弁４２への開弁信号をＢＨＶとし、また流量センサの出力においては通水ありをＯＮ、通水なしをＯＦＦとし、また落込み用電磁弁４２の出力においては開弁信号出力をＯＮ、開弁信号出力停止をＯＦＦとして説明する。図示しないリモコンの自動給湯スイッチを押すと（Ｓ１）、コントローラ５０が落込み用電磁弁４２に開弁信号を出力する（Ｓ２）。ここで、一般給湯路４０から同時使用されていた場合には、トータル流量センサ３７が通水ありと検出しているため既にバーナ３１が燃焼しているが、一般給湯路４０からの使用が無く、トータル流量センサ３７が通水なしと検出していた場合には、トータル流量センサが通水ありと検出することにより、メイン電磁弁４６、図示しない元電磁弁が開弁してバーナ３１にガスを供給し、図示しない点火装置によりバーナ３１に点火して給湯燃焼動作を開始する。燃焼動作により加熱された湯は落込み流量センサ４１、バキューム弁４３を介して浴槽２に出湯され、その間、落込み流量センサ４１が流量を検出し、その出力に基づいてコントローラ５０が浴槽２に出湯された湯量を積算していく。
【００２２】
ここで、故障検知を行なうため、まずトータル流量センサ３７の出力をチェックする（Ｓ３）。トータル流量センサ３７が通水ありと検出している場合（Ｓ３：ＹＥＳ）、異常なしと判断する。しかし、トータル流量センサ３７が通水なしと検出している場合には（Ｓ３：ＮＯ）、何等かの異常があると考えられるため、落込み流量センサ４１の出力をチェックする（Ｓ４）。ここで落込み流量センサ４１が通水ありと検出していた場合には（Ｓ４：ＹＥＳ）、風呂給湯路３９に通水されていることが確認され、トータル流量センサ３７の故障と判断される（Ｓ５）。そのため、図示しないリモコンの表示器及びブザーにより故障が発生したことを報知し（Ｓ５）、落込み用電磁弁４２への開弁信号の出力を停止し（Ｓ６）、自動給湯動作を停止する。また、ステップ４において、落込み流量センサ４１も通水なしと検出している場合には（Ｓ４：ＮＯ）、開弁信号を出力しているにもかかわらず落込み用電磁弁４２が開弁していないか、もしくはトータル流量センサ３７と落込み流量センサ４１とが共に故障していると判断し、図示しないリモコンの表示器及びブザーにより故障が発生したことを報知し（Ｓ７）、落込み用電磁弁４２への開弁信号の出力を停止し（Ｓ８）、自動給湯動作を停止する。
【００２３】
一方、ステップ３においてトータル流量センサ３７が通水ありと検出している場合（Ｓ３：ＹＥＳ）、落込み流量センサ４１のチェックを行なう（Ｓ９）。ここで落込み流量センサ４１も通水ありと検出している場合には（Ｓ９：ＹＥＳ）、異常なしと判断する。しかし、落込み流量センサ４１が通水なしと検出している場合には（Ｓ９：ＮＯ）、その原因として、一般給湯路４０からの同時使用による風呂給湯路３９への通水流量の減少か、もしくは落込み流量センサ４１の故障であると考えられる。ここで、同時使用によるものであれば、使用が終わることで落込み流量センサ４１の出力が正常に戻ると考えられるため、所定時間（本実施例では３０秒）そのままの状態で待機して様子をみる（Ｓ１０）。この間に落込み流量センサ４１が通水ありと検出すれば（Ｓ９：ＹＥＳ）、異常なしと判断する。しかし、所定時間（３０秒）が経過しても落込み流量センサ４１が通水なしと検出している場合には（Ｓ１０：ＹＥＳ）、落込み用電磁弁４２への開弁信号の出力を停止し（Ｓ１１）、トータル流量センサ３７が通水なしと検出するまで待機する（Ｓ１２）。トータル流量センサ３７が通水なしと検出すると（Ｓ１２：ＹＥＳ）、一般給湯路４０からの使用が無いと判断できるため、落込み用電磁弁４２へ開弁信号を出力し（Ｓ１３）、落込み流量センサ４１の出力をチェックする（Ｓ１４）。落込み流量センサ４１が通水ありと検出している場合には（Ｓ１４：ＹＥＳ）、異常なしと判断して自動給湯動作を再開する。しかし、落込み流量センサ４１が通水なしと検出している場合には（Ｓ１４：ＮＯ）、落込み流量センサ４１の故障であると判断し、図示しないリモコンの表示器及びブザーにより故障が発生したことを報知し（Ｓ１５）、落込み用電磁弁４２への開弁信号の出力を停止し（Ｓ１６）、自動給湯動作を停止する。
【００２４】
また、ステップ９において落込み流量センサ４１が通水ありと検出している場合には（Ｓ９：ＹＥＳ）、トータル流量センサ３７の検出流量と、落込み流量センサ４１の検出流量とを比較することで、異常が無いかをチェックする。トータル流量センサ３７と落込み流量センサ４１との検出値が、誤差を考慮した範囲でほぼ等しい場合（Ｓ１７：ＹＥＳ）、両センサは正常であると判断し、自動給湯動作を継続する。しかし、トータル流量センサ３７と落込み流量センサ４１との検出値が誤差を考慮した範囲でも異なる場合には（Ｓ１７：ＮＯ）、トータル流量センサ３７と落込み流量センサ４１との大小関係をチェックする。トータル流量センサ３７の検出値が落込み流量センサ４１の検出値より大きい場合（Ｓ１８：ＹＥＳ）、一般給湯路４０からの同時使用が行なわれているためか、落込み流量センサ４１が故障しているためかの二通りの原因が考えられる。そのためステップ２において落込み用電磁弁４２に開弁信号を出力する直前のトータル流量センサ３７の出力から、同時使用が行なわれているかどうかを判断する（Ｓ１９）。開弁信号を出力する直前にトータル流量センサ３７が通水ありと検出していた場合、つまり同時使用が行なわれていた場合（Ｓ１９：ＮＯ）、現在も同時使用が行なわれていると判断し、自動給湯動作を継続する。しかし、開弁信号を出力する直前にトータル流量センサ３７が通水なしと検出していた場合、つまり同時使用が行なわれていなかった場合（Ｓ１９：ＹＥＳ）、現在も同時使用が行なわれておらず、落込み流量センサ４１の故障が原因であると判断し、図示しないリモコンの表示器及びブザーにより故障が発生したことを報知し（Ｓ２０）、落込み用電磁弁４２への開弁信号の出力を停止し（Ｓ２１）、自動給湯動作を停止する。またステップ１８において、トータル流量センサ３７の検出値が落込み流量センサ４１の検出値より小さい場合には（Ｓ１８：ＮＯ）、トータル流量センサ３７の故障であると判断し、図示しないリモコンの表示器及びブザーにより故障が発生したことを報知し（Ｓ２２）、落込み用電磁弁４２への開弁信号の出力を停止し（Ｓ２３）、自動給湯動作を停止する。
【００２５】
故障検知により異常なしと検出されて自動給湯動作を継続し、落込み流量センサ４１の出力に基づいてコントローラ５０の積算する値が所定値に達した時点で（Ｓ２４：ＹＥＳ）、設定湯量の落とし込みが完了したと判断して落込み用電磁弁４２への開弁信号の出力を停止する（Ｓ２５）。ここで、再び故障検知を行なうため、トータル流量センサ３７の出力をチェックする（Ｓ２６）。トータル流量センサ３７が通水ありと検出している場合には（Ｓ２６：ＮＯ）、一般給湯路４０から使用が行なわれているか、もしくは落込み用電磁弁４２がＯＮ故障しているためであると判断し、落込み流量センサ４１の出力をチェックする（Ｓ２７）。落込み流量センサ４１が通水なしと検出している場合（Ｓ２７：ＹＥＳ）、一般給湯路４０から使用が行なわれているためであると判断する。しかし、落込み流量センサ４１が通水ありと検出している場合（Ｓ２７：ＮＯ）、落込み用電磁弁４２がＯＮ故障していると判断し、図示しないリモコンの表示器及びブザーにより故障が発生したことを報知し（Ｓ２８）、メイン電磁弁４６を閉じて燃焼を停止すると共に（Ｓ２９）、水量制御弁３６を最小まで絞り（Ｓ３０）、被害を最小限に抑える。
【００２６】
一方、ステップ２６において、トータル流量センサ３７が通水なしと検出している場合には（Ｓ２６：ＹＥＳ）、落込み流量センサ４１の出力をチェックする（Ｓ３１）。落込み流量センサ４１が通水なしと検出している場合（Ｓ３１：ＹＥＳ）、正常であると判断する。しかし、落込み流量センサ４１が通水ありと検出している場合には（Ｓ３１：ＮＯ）、落込み用電磁弁４１とトータル流量センサ３７とが共に故障していると判断し、図示しないリモコンの表示器及びブザーにより故障が発生したことを報知し（Ｓ３２）、水量制御弁３６を最小まで絞り（Ｓ３３）、被害を最小限に抑える。
【００２７】
以上説明したように本実施例の給湯付風呂釜１によれば、落込み用電磁弁４２への開弁信号出力時及び開弁信号出力停止時におけるトータル流量センサ３７と落込み流量センサ４１との出力から、落込み用電磁弁４２、トータル流量センサ３７、落込み流量センサ４１の故障をそれぞれ検出することができるため安全性が高い。また、故障を検知した場合には、報知することで使用者に故障が発生したことを知らせるため、故障発生をいち早く知ることができる。また、落込み流量センサ４１故障時には自動給湯動作を停止するため浴槽水が溢れるといったことを防ぐことができる。さらに、落込み用電磁弁４２のＯＮ故障が発生した場合には、ガスの供給を停止して燃焼をストップするため安全であり、また水量制御弁３６を最小まで絞ることにより被害を最小限に抑えるため、その間に使用者は水路の元栓を閉じるといった対処をすることができる。また、故障検知のために新たにセンサ等を設ける必要がないためコストがかからない。
【００２８】
尚、本実施例において、故障制御処理は本フローチャートに示した処理に限ったものではなく、例えばステップ１１〜１６において、落込み用電磁弁４２を閉じ、トータル流量センサ３７が通水なしと検出するまで待機した後、落込み用電磁弁４２を開いて落込み流量センサ４１の出力をチェックしたが、ステップ１９と同様に落込み用電磁弁４２の開弁直前の出力により同時使用があるかどうかをチェックすることで故障検知を行なってもよい。尚、本実施例においては、上記コントローラ５０が、本発明の弁駆動手段、故障検知手段、制御手段に相当する。
【００２９】
以上本発明の実施例について説明したが、本発明はこうした実施例に何等限定されるものではなく、風呂給湯機能を備える全ての給湯器において可能であり、本発明の要旨を逸脱しない範囲において、種々なる態様で実施し得ることは勿論である。
【００３０】
【発明の効果】
以上詳述したように、本発明の請求項１記載の給湯装置によれば、トータル流量センサの検出値と落込み流量センサの検出値との組合わせから、開閉弁及び２つの流量センサの故障を検知できるため安全性が高く、また故障箇所を判断できるため、故障時には最適な処理を行なうことができる。また、開弁信号の出力時と出力停止時とでそれぞれ故障検知を行なうため、故障の発生を素早く検知できる。さらに、故障検知のために新たにセンサ等を設ける必要がないためコストがかからない。
【００３１】
更に、本発明の請求項２記載の給湯装置によれば、開閉弁への開弁信号出力前のトータル流量センサの出力をチェックすることで同時使用が行なわれているかどうかを判断するため、自動給湯動作を中断することなく故障検知することができる。
【００３２】
更に、本発明の請求項３記載の給湯装置によれば、開閉弁への開弁信号の出力を停止してトータル流量センサがＯＦＦするまで待機し、トータル流量センサがＯＦＦして同時使用が無くなったことが分かった後、開閉弁に開弁信号を出力して落込み流量センサの出力をチェックするため、落込み流量センサの故障検知が確実に行なうことができ、また同時使用が行なわれていても故障を検知することができる。
【図面の簡単な説明】
【図１】一実施例としての給湯器付強制循環式風呂釜の概略構成図である。
【図２】故障検知制御処理を表すフローチャートである。
【図３】故障検知制御処理を表すフローチャートである。
【符号の説明】
２…浴槽、  １０…強制循環加熱部、  ３０…給湯部、
３６…水量制御モータ弁、  ３７…トータル流量センサ、
４１…落込み流量センサ、  ４２…落込み用電磁弁、
５０…コントローラ。
【図１】
0003729466.tif 000002
【図２】
0003729466.tif 000003
【図３】
0003729466.tif 000004